(57)【要約】  【課題】親趾以外の特定の足趾の特定の部位に厚肉テープを巻くなどの手法によって、脚力を向上し、各種スポーツや労働における効果のアップを実現することにある。  【解決手段】足趾の第２趾および／又は第３において、趾先端側の趾腹を除くアーチ状浮上部位に厚さが２〜７ｍｍのスペーサ用テープを巻き付けるため、通常なら地面から浮いているアーチ状部位の下部が、厚さ２〜７ｍｍのテープの介在によって、浮上しない状態となる。その結果、地面を蹴るような動作の際に、親趾の場合と全く同様に、地面から反発力を受け易くなり、実質的に脚力が向上し、しかも疲れにくいので、スポーツや労働などに際して記録の向上や作業能率の向上、持続時間の向上が実現可能となる。【選択図】図２
2009254712.tif 000002
【特許請求の範囲】
【請求項１】
足趾の少なくとも第２趾および／又は第３趾において、趾先端側の趾腹を除くアーチ状浮上部位の少なくとも下部に、厚さが２〜７ｍｍのスペーサ手段を介在させることによって、地面から反発力を受け易くすることを特徴とする脚力の向上方法。
【請求項２】
前記趾に厚さが２〜７ｍｍのテープを巻き付け又は開閉リングを装着することによって、前記スペーサ手段とすることを特徴とする請求項１に記載の脚力の向上方法。
【請求項３】
足趾の少なくとも第２趾および／又は第３趾において、趾先端側の趾腹を除くアーチ状浮上部位に巻き付けるテープであって、
ゴム質様および／又は積層布質の弾力を有し、厚さが２〜７ｍｍ、幅が８〜３０ｍｍであることを特徴とする足趾のスペーサ用テープ。
【請求項４】
前記スペーサ用テープの全長が足趾の巻き付け部の１周以内であり、少なくとも両端の外面に重ねて接着する粘着テープを有していることを特徴とする請求項４に記載の足趾のスペーサ用テープ。
【請求項５】
前記のスペーサ用テープが、薄手の積層構成又は厚手の単一構成であり、全体が均一厚さ又は厚肉部と薄肉部から成る構成であることを特徴とする請求項３または請求項４に記載のスペーサ用テープ。
【請求項６】
足趾の少なくとも第２趾および／又は第３趾において、趾先端側の趾腹を除くアーチ状浮上部位に装着することによって、アーチ状浮上部位の下部に介在させるリングであって、
リングの一部が開閉可能に分離しており、この分離部を開けて前記アーチ状浮上部位を嵌め込み可能としたことを特徴とする脚力の向上リング。
【発明の詳細な説明】
【技術分野】
【０００１】
本発明は、スポーツや労働に際して、十二分に脚力を発揮できるようにする方法並びにそのための脚力向上テープに関する。
【背景技術】
【０００２】
スポーツや脚力を使用する労働に際しては、脚力が強いほど有利である。しかしながら、各人の脚力には限界があり、限界の範囲内で最大限に脚力を発揮できるよう日頃の鍛練を行なっているのが実情である。
しかしながら、工夫によって、各人の限界以上の脚力を発揮できれば、各種スポーツの記録更新も可能であり、勝負に勝つことも容易になる。また、脚力を要する労働の場合は、労働の効率もアップする。
【０００３】
このような観点から発明・考案した先行技術は皆無であり、特開２００６−１３０１６６において、肘関節固定用粘着部材及びその使用方法が提案されている程度である。
この発明は、粘着部材を肘関節に貼付することによる肘関節の固定の際、テーピングの専門知識を有さない人でも操作が簡便であり、適切にテーピングが可能な肘関節固定用粘着部材を提供するもので、伸縮布からなる基材及び医療貼付用粘着層を含む粘着部材であって、該粘着部材は長辺部と短辺部を含む帯状の形状からなり、一方の短辺部側から中央に向かって切れ目が施されていることにより２分割された部分を含み、さらに長辺部の少なくとも一辺が凹状に切り抜かれた部分を有する肘関節固定用粘着部材である。
【特許文献１】特開２００６−１３０１６６
【発明の開示】
【発明が解決しようとする課題】
【０００４】
このように、特許文献１記載の発明は、肘関節固定用に限定されるので、脚力の向上は期待できない。
ところが、本発明の発明者は、親指（第１趾）以外の特定の足指（趾）の特定の部位に厚肉のテープを巻いて実質的に趾を太くすることによって、親指と同様に地面から受ける反発力が増大し、結果的に脚力の増大につながることを見いだした。
本発明の技術的課題は、このような問題に着目し、特定の趾の特定の部位に厚肉テープを巻くなどの手法によって、脚力を向上し、各種スポーツや労働における効果のアップを実現することにある。
【課題を解決するための手段】
【０００５】
本発明の技術的課題は次のような手段によって解決される。請求項１は、足趾の少なくとも第２趾および／又は第３趾において、趾先端側の趾腹を除くアーチ状浮上部位の少なくとも下部に、厚さが２〜７ｍｍのスペーサ手段を介在させることによって、地面から反発力を受け易くすることを特徴とする脚力の向上方法である。
このように、足趾の第２趾および／又は第３において、趾先端側の趾腹を除くアーチ状浮上部位の少なくとも下部に厚さが２〜７ｍｍのスペーサ手段を介在させるため、通常なら地面から浮いているアーチ状部位の下部が、厚さ２〜７ｍｍのスペーサ手段の介在によって、浮上しない状態となる。その結果、地面を蹴るような動作の際に、親趾の場合と全く同様に、地面から反発力を受け易くなり、実質的に脚力が向上し、しかも疲れにくいので、スポーツや労働などに際して記録の向上や作業能率の向上、持続時間の向上が実現可能となる。
【０００６】
請求項２は、前記趾に厚さが２〜７ｍｍのテープを巻き付け又は開閉リングを装着することによって、前記スペーサ手段とすることを特徴とする請求項１に記載の脚力の向上方法である。
趾先端側の趾腹を除く厚さが２〜７ｍｍのスペーサ手段を安定よく介在させることは困難であるが、請求項２のように、厚さが２〜７ｍｍのテープを巻き付ける手法によると、容易に安定よく実現できる。しかも、第２趾と第３趾の両方に巻き付けると、隣接する趾同士が巻き付けテープを介して常に接することによっても、足に力を入れた際に、各趾の力が発揮し易くなる。
また、開閉リングを開けて前記のアーチ状浮上部位を嵌め込んで装着することによって、アーチ状浮上部位の下部にスペーサ手段を介在させることも可能で、取り扱いが簡便な上、繰り返し使用できる。
以上のように、厚さが２〜７ｍｍもあるので、かなり厚手ではあるが、本発明では「テープ」と呼ぶことにする。
【０００７】
請求項３は、足趾の少なくとも第２趾および／又は第３趾において、趾先端側の趾腹を除くアーチ状浮上部位に巻き付けるテープであって、
ゴム質様および／又は積層布質の弾力を有し、厚さが２〜７ｍｍ、幅が８〜３０ｍｍであることを特徴とする足趾のスペーサ用テープである。
このように、アーチ状浮上部位に巻き付けるスペーサ用テープは、ゴム質様や積層布質のように弾力を有していると、趾は地面に対してソフトに接することになるので、違和感はなく、効果的に反発力を発揮できる。また、厚さが２ｍｍ〜７ｍｍであると、スペーサテープを必要とする人の殆どの体格に適合し、浮上部位を埋めて地面との間のスペーサ手段として機能できる。しかも、幅が８〜３０ｍｍであると、殆どの体格における浮上部位のほぼ全長でスペーサ手段として機能する。
なお、積層布質のスペーサテープの場合は、布地中に又は積層接着のために、ゴム質材が含浸されている場合が多い。
【０００８】
請求項４は、前記スペーサ用テープの全長が足趾の巻き付け部の１周以内であり、少なくとも両端の外面に重ねて接着する粘着テープを有していることを特徴とする請求項３に記載の足趾のスペーサ用テープである。
このように、前記スペーサ用テープ同士が重なると、その部位は厚過ぎて違和感が生じたり痛みを感じるなどの問題がある。これに対し、スペーサテープの全長が足趾の巻き付け部の１周以内であると、重畳部位が発生せず、違和感や痛みが発生しない。しかも、少なくとも両端の外面に粘着テープを重ねて接着すると、両端同士を連結して、趾に対し安定よく巻き付け固定できる。
【０００９】
請求項５は、前記のスペーサ用テープが、薄手の積層構成又は厚手の単一構成であり、全体が均一厚さ又は厚肉部と薄肉部から成る構成であることを特徴とする請求項３または請求項４に記載のスペーサ用テープである。
このように、請求項３または請求項４に記載のスペーサ用テープは、薄手のテープの場合は、複数枚を積層した構成でもよいが、厚手のテープであれば、単一構成でもよい。積層構成の場合は、布地を積層し接着した構成でもよい。この場合、布地自体にも接着剤が含浸されることが多い。
あるいは、このスペーサ用テープの全体が均一厚さでもよいが、場所に応じて厚肉部と薄肉部とを有する構成でもよい。趾のアーチ形状に応じて、両端寄りを薄くするなど、テープ厚も徐々に変えると、趾にフィットするので、テープの角で趾が傷むのを防止できる。
【００１０】
請求項６は、足趾の少なくとも第２趾および／又は第３趾において、趾先端側の趾腹を除くアーチ状浮上部位に装着することによって、アーチ状浮上部位の下部に介在させるリングであって、
リングの一部が開閉可能に分離しており、この分離部を開けて前記アーチ状浮上部位を嵌め込み可能としたことを特徴とする脚力の向上リングである。
このように、スペーサ用テープに代えて、一部が開閉可能に分離しているリングを用いることもできる。この場合、分離部を開けて、趾のアーチ状浮上部位を嵌め込んで装着するので、取り扱いが簡便で、普及が期待できる。
【発明の効果】
【００１１】
請求項１のように、足趾の第２趾および／又は第３において、趾先端側の趾腹を除くアーチ状浮上部位の少なくとも下部に厚さが２〜７ｍｍのスペーサ手段を介在させるため、通常なら地面から浮いているアーチ状部位の下部が、厚さ２〜７ｍｍのスペーサ手段の介在によって、浮上しない状態となる。その結果、地面を蹴るような動作の際に、親趾の場合と全く同様に、地面から反発力を受け易くなり、実質的に脚力が向上し、しかも疲れにくいので、スポーツや労働などに際して記録の向上や作業能率の向上、持続時間の向上が実現可能となる。
【００１２】
趾先端側の趾腹を除く厚さが２〜７ｍｍのスペーサ手段を安定よく介在させることは困難であるが、請求項２のように、厚さが２〜７ｍｍのテープを巻き付ける手法によると、容易に安定よく実現できる。しかも、第２趾と第３趾の両方に巻き付けると、隣接する趾同士が巻き付けテープを介して常に接することによっても、足に力を入れた際に、各趾の力が発揮し易くなる。
また、開閉リングを開けて前記のアーチ状浮上部位を嵌め込んで装着することによって、アーチ状浮上部位の下部にスペーサ手段を介在させることも可能で、取り扱いが簡便な上、繰り返し使用できる。
【００１３】
請求項３のように、アーチ状浮上部位に巻き付けるスペーサ用テープは、ゴム質様や積層布質のように弾力を有していると、趾は地面に対してソフトに接することになるので、違和感はなく、効果的に反発力を発揮できる。また、厚さが２ｍｍ〜７ｍｍであると、スペーサテープを必要とする人の殆どの体格に適合し、浮上部位を埋めて地面との間のスペーサ手段として機能できる。しかも、幅が８〜３０ｍｍであると、殆どの体格における浮上部位のほぼ全長でスペーサ手段として機能する。
【００１４】
請求項４のように、前記スペーサ用テープ同士が重なると、その部位は厚過ぎて違和感が生じたり痛みを感じるなどの問題がある。これに対し、スペーサテープの全長が足趾の巻き付け部の１周以内であると、重畳部位が発生せず、違和感や痛みが発生しない。しかも、少なくとも両端の外面に粘着テープを重ねて接着すると、両端同士を連結して、趾に対し安定よく巻き付け固定できる。
【００１５】
請求項５のように、請求項３または請求項４に記載のスペーサ用テープが、薄手のテープの場合は、複数枚を積層した構成でもよいが、７ｍｍ前後と厚手のテープであれば、単一構成でもよい。積層構成の場合は、布地を積層し接着した構成でもよい。この場合、布地自体にも接着剤が含浸されることが多い。
あるいは、このスペーサ用テープの全体が均一厚さでもよいが、場所に応じて厚肉部と薄肉部とを有する構成でもよい。趾のアーチ形状に応じて、両端寄りを薄くするなど、テープ厚も徐々に変えると、趾にフィットするので、テープの角で趾が傷むのを防止できる。
【００１６】
請求項６のように、スペーサ用テープに代えて、一部が開閉可能に分離しているリングを用いることもできる。この場合、分離部を開けて、趾のアーチ状浮上部位を嵌め込んで装着するので、取り扱いが簡便で、普及が期待できる。
【発明を実施するための最良の形態】
【００１７】
次に本発明による脚力向上方法並びに脚力向上テープが実際上どのように具体化されるか実施形態を説明する。図１は、右脚を内側から見た側面図であり、１は第１趾、破線は第２趾である。第２趾は、細いだけでなく、アーチ状に曲がっているため、地面との間に大きく長い間隔Ｇ２が発生する。
１００ｍ走などの短距離走のスタートに際してダッシュする場合、親趾である第１趾に大地を蹴る力が集中し、他の４趾による蹴力は弱い。その理由は、第１趾に比べて他の４趾は細く、かつ接地面積が狭いからであり、また第１趾はほぼ水平状態で、そのほぼ全面が接地するのに対し、他の４趾はアーチ状に曲がっていて、趾の根元と趾先との間が地面からアーチ状に浮き上がって間隔Ｇ２ができるので、大地を蹴る力が弱い。
【００１８】
図２は、右脚を脚裏側から見た底面図で、趾側だけを示している。第１趾は趾腹部がＢ１のように大きいのに対し、第２〜５趾の趾腹部はＢ２…Ｂ５のように極端に小さい。
第１趾に比べて、第２〜第５趾は細いので、趾腹の面積も小さい。また、第１趾は、骨も全長がほぼ水平状態であるのに対し、第２〜第５趾はアーチ状に曲がっていて図１の間隔Ｇ２が発生するので、趾先の部分しか接地できない。しかも、アーチ状に浮いているので、力が入りにくい。
【００１９】
そこで、本発明では、第２趾および／又は第３趾のアーチ状に浮いている部分にスペーサ用のテープＴ２および／又はＴ３を巻き付けて、地面との間の間隔Ｇ２、Ｇ３を埋める手法を採っている。
図３は図２のＡ−Ａ位置すなわち第２〜第５趾のアーチ状浮上部の縦断面図である。第２〜第５趾には、アーチ状の浮上間隔Ｇ２〜Ｇ５が有るが、第２趾と第３趾はアーチ状間隔Ｇ２、Ｇ３が特に大きい。しかし、テープＴ２、Ｔ３を巻き付けてあるので、その厚みによって、アーチ状間隔Ｇ２、Ｇ３が埋まり、間隔Ｇ２、Ｇ３は生じない。
【００２０】
その結果、大地を蹴ってダッシュする際に、第２趾、第３趾はスペーサ用のテープＴ２、Ｔ３を介して大地の反発力を受け易いので、従来に比べて、第２趾、第３趾で受ける反発力が大きく、陸上競技その他のスポーツにおける脚力が向上する。そのため、記録の向上など、好成績を発揮可能となる。
各種の作業などの労働力も効果的に発揮でき、作業能率が向上する。
なお、第４趾、第５趾にもスペーサ用テープを巻き付けてもよいが、第２趾、第３趾ほどの効果は期待できない。
【００２１】
図４は、図２、図３におけるＢ−Ｂ断面図で、第２趾２におけるアーチ状の間隔Ｇ２の領域において、スペーサ用テープＴ２を巻き付けて、間隔Ｇ２を無くしている。したがって、スペーサ用テープＴ２の幅Ｗは、アーチ状の間隔Ｇ２が生じる領域を埋められる程度の幅寸法が適している。
【００２２】
図５は、前記スペーサ用テープＴ２、Ｔ３の各部の寸法である。一般に第２趾よりも第３趾が細めで、長さも、第３趾が短めの人が多いので、幅寸法Ｗは、第２趾用よりも第３趾用を短めがよい。しかしながら、同じ寸法にして、第２趾用と第３趾用を共用にしてもよい。
問題は、体格や個人差で第２趾の長さ、すなわち第２趾のアーチ状の浮上部の長さが異なるので、予め各種のサイズを用意しておくのがよい。
長さＬ１は、第２趾や第３趾のアーチ状浮上部の外周の寸法と同等程度が望ましいが、個人差に応じて何種類ものサイズを揃えておくのがよい。
【００２３】
テープ厚ｔは、２〜７ｍｍ程度が適しているが、アーチ状浮上部Ｇの個人差が有るので、各種のテープ厚を用意しておくのがよい。
小柄の人や子ども用は２〜４ｍｍ程度が適しており、大人用や大柄の人には５〜７ｍｍ程度が適している。
ただし、特殊な体格や使用者の好みもあるので、２ｍｍ以下も、７ｍｍ以上も使用可能である。
【００２４】
使用に際しては、（３）のように、長尺のテープを用意しておいて、各人が自分の第２趾や第３趾の太さに対応した長さＬにカットし、自分の第２趾や第３趾に巻き付けるのが便利である。
そして、両端の上にガムテープや絆創膏などの粘着テープを張り付けて、外れないようにすれば足りる。
あるいは、厚肉テープＴの片面全面を糊面にしておき、剥離紙を貼っておくと、使用の都度、剥離紙を剥がせば、厚肉テープＴ自体の糊面を第２趾や第３趾に直接張り付けることができる。そして、更に両端に別の粘着テープを重ねて接着し、両端同士を連結すると、より安心である。
【００２５】
（２）のように厚さｔの第２趾用又は第３趾用の厚肉テープＴ１又はＴ２を予め用意しておき、その上に予め粘着テープ６を重ねてあると、前記のように一々カットする面倒はない。このとき、粘着テープ６は、図３のように他端に重ねて接着するための糊代６１を残しておくと使いやすい。
糊代６１の糊面には剥離紙７を貼ってあり、また厚肉テープＴ１（Ｔ２）自体の糊面には剥離紙８を貼ってある。
使用時には、先ず剥離紙８を剥がして糊面を露出させ、第２趾又は第３趾に厚肉テープＴ１（Ｔ２）を巻き付ける。次いで、残りの糊代６１の剥離紙７を外してから、厚肉テープＴ１（Ｔ２）の他端に重ねて接着すると、図３のようになり、完了である。
【００２６】
厚肉テープＴ、Ｔ１（Ｔ２）の肉厚は、予め所定の肉厚ｔの厚肉テープを製造しておくのがよい。しかし、通常の粘着テープを何枚も重ねて接着することで所定の肉厚ｔを得ることも可能であるが、面倒である。
また、厚肉テープの材質は、第２趾や第３趾に巻き付けても痛くない程度の軟質のゴム様の材質が好ましい。ただし、発泡したスポンジ状だと、軟らかすぎて、容易に押し潰されるので、好適でない。したがって、発泡スポンジの場合は、硬度の高い材質を使用する。
【００２７】
アーチ状間隔は、図１の間隔Ｇ２のように、アーチ状すなわち円弧状であるから、図５（４）のような一定肉厚ｔよりも、（５）のように、アーチ形状に合わせて、幅Ｗの中央部は厚肉とし、両端寄りは薄肉にすると、趾のアーチ形状にフィットする。その結果、一定肉厚ｔのテープのように、両端の角の部分で趾に痛みを感じることはない。
【００２８】
図６はテープ代用の開閉式リングＲであり、（１）のように、開閉用の分離部９を有している。リングＲ自体は、前記のスペーサ用テープＴ、Ｔ１、Ｔ２と同じくゴム様の軟質が良いが、分離部９が弾力的に開閉できる弾力性材質が適している。
この場合、必ずしも全体が開閉可能な弾力材質である必要はなく、薄い弾力板のリング内面や内外両面にゴム質様や積層布質のスペーサ用テープ材を重ねて接着した構成も有効である。
使用に際しては、分離部９を上向きにして、分離部９を開き、第２趾２又は第３趾３のアーチ状部を嵌め込むと、分離部９が上側を向いた状態で、アーチ状間隔Ｇ２やＧ３に介在し、地面から反発力を受けやすくなる。リングＲの内径は、第２趾２や第３趾３のアーチ状部の外径より小さめが良い。
【００２９】
図５（５）と同じ理由から、図６（３）のように、幅Ｗの中央部は厚肉とし、両端寄りは薄肉にすると、装着状態において、趾のアーチ形状にフィットするので、違和感を感じたり、痛みを伴うことがない。
リングＲは、取り外して、何度も繰り返し使用可能である。
【００３０】
スペーサ用テープの材質は、ゴム質様に代えて、布材を積層し接着してなる積層布質を用いることもできる。この場合、布材自体にゴム質材を含浸したり、布材の積層接着にゴム質材を用いるのが有効である。
【産業上の利用可能性】
【００３１】
以上のように、第２趾と第３趾のアーチ状の浮き上がり部に厚肉テープを巻いて、浮き上がり部を埋めることで、第２趾や第３趾に地面を蹴る反発力が高まるので、脚力が向上し、各種スポーツや労働における効果のアップが実現できる。
【図面の簡単な説明】
【００３２】
【図１】右脚を内側から見た側面図である。
【図２】右脚を脚裏側から見た底面図で、趾側だけを示している。
【図３】図２のＡ−Ａ位置、すなわち第２〜第５趾のアーチ状浮上部の縦断面図である。
【図４】図２、図３におけるＢ−Ｂ断面図である。
【図５】第２趾用（又は第３趾用）のスペーサ用テープＴ２（Ｔ３）の各部寸法を示す平面図と側面図である。
【図６】テープ代用の開閉式リングを示す図である。
【符号の説明】
【００３３】
１  第１趾
２  第２趾
３  第３趾
４  第４趾
５  第５趾
Ｇ２  第２趾のアーチ状間隔
Ｇ３  第３趾のアーチ状間隔
Ｂ１〜Ｂ５  第１趾〜第５趾の趾腹部
Ｔ  長尺のスペーサテープ
Ｔ２  第２趾用のスペーサテープ
Ｔ３  第３趾用のスペーサテープ
６  粘着テープ
６１  糊代
７  剥離紙
８  剥離紙
Ｒ  開閉式リング
９  分離部
【図１】
2009254712.tif 000003
【図２】
2009254712.tif 000004
【図３】
2009254712.tif 000005
【図４】
2009254712.tif 000006
【図５】
2009254712.tif 000007
【図６】
2009254712.tif 000008